(57)【特許請求の範囲】
【請求項１】
水平な板本体と、板本体の前後両端に設けた複数のフックと、板本体の左右両端に起立して着脱自在に設けた巾木と、各フックの下方に出入自在に設けたストッパー機構とを備え、前記ストッパー機構は中空なガイドと、ガイド内にスライド自在に挿入したストッパーと、ガイドとストッパーとの間に介在してストッパーをフック方向に付勢する弾性部材と、ガイドの上部又は側部に設けられ且つ上記弾性部材に抗してストッパーを少なくとも後退位置に保持する位置決め部材とからなり、ストッパーがロッド本体と、ロッド本体の先端上部に形成した弯曲面と、ロッド本体の後端に設けた把手部と、ロッド本体の上面に形成した二つの溝とを備え、位置決め部材がロッド本体側の溝の一つに選択的に嵌合されることを特徴とする足場板。
【請求項２】
中空なガイドが筒体であり、弾性部材が筒体の先端とロッド本体の間に介装された一つ又は複数のコイルスプリングとで構成され、当該コイルスプリングの一方の足を筒体の先端に結合し、他方の足をロッド本体の上部又は側部に固定している請求項１の足場板。
【請求項３】
位置決め部材がガイドの上部に一端を結合したバネ板と、ばね板を貫通して下端をガイド上部に結合したピンと、ピンの上端とばね板の上面との間に介装されてばね板を下方に付勢するコイルスプリングと、ばね板の下面に設けられてロッド本体側の溝の一つに選択的に嵌合する係止突起とで構成されている請求項１又は２の足場板。
【請求項４】
板本体の前後両端に複数の切欠きを設け、前側のフックが後側の切欠きと同一軸線上に設けられ、後側のフックが前側の切欠きと同一軸線上に設けられている請求項１，２，又は３の足場板。
【発明の詳細な説明】
【０００１】
【産業上の利用分野】
本発明は、枠組み足場の使用に適するフックとロック機構付きの足場板に関する。
【０００２】
【従来の技術】
この種、従来の枠組み足場として、例えば、実開平４−１２９２５６号公報に開示されたものが知られている。
【０００３】
この枠組み足場は、図７に示すように、縦方向に差し込み式に連設した建わく１，１と、建わく１，１間に架設された横架材２と、で枠体３を構成し、この枠体３を多数列設した後に横架材２上にフックＨを介して足場板４，４を架設し、更に各足場板４，４の両隣りに巾木５，５を配置し、この巾木５，５を上方の手摺を兼ねた建わく１，１に番線等で結合したものである。
【０００４】
更に、フックＨの背部には自重で下降する半円状のストッパーが上下移動自在に設けられ、フックＨを横架材２に引掛けた時ストッパーが下降し、このフックとストッパーとで横架材２を挾持して足場板４が浮き上がるのを防止している。
【０００５】
【発明が解決しようとする課題】
上記の従来の足場板を利用した枠組み足場には次のような不具合がある。
【０００６】
第１に、足場板４，４は、普通軽量化を図るために細長く成形されているから、複数本、例えば、二本足場板４，４を横架材２上に並べて架設しても、足場板４，４と巾木５，５との間にはどうしても隙間が出来てしまう。
【０００７】
この為に、足場板４，４上のくぎ、ボルト、工具、小さい建築材料等がこの隙間を介して下方に落下する危険がある。
【０００８】
第２に、足場板４，４は、長手方向にも連続して配設されているが、この場合各足場板４，４は、前後両端部に張出したフックＨを横架材２に引掛けて行なう為に、前後に隣接する足場板４，４間には二つのフックＨの巾分の隙間が形成されてしまい、この隙間から上記と同様に足場板上の工具等が下方に落下する危険がある。
【０００９】
第３に、巾木は、足場板とは別部材となっているから、足場板とは別にその都度取り付け、取りはずし作業を行なう必要があり作業が面倒である。
【００１０】
第４に、足場板４が横架材２からはずれて上方に浮き上がるのを防止する為に横架材２と係合するストッパーを設けているが、各ストッパーの着脱操作が面倒で作業性が困難である。
【００１１】
即ち、フックＨとストッパーが複数ある場合、そのロックを解除するときには先ず一方のストッパーとフックＨをはずし、次に他方のフックＨとストッパーをはずす必要があるが、この操作を一人でやろうとすると、ストッパーは自重で落下して自己ロックする機構がある為に、一方のストッパーを押し上げてロックを解除し、次いで別のストッパーのロック解除操作をすると、その間に先にロック解除したストッパーが自重で落下して再びロックしてしまう不具合がある。
【００１２】
この為に、フックＨとストッパーが複数ある場合には二人以上の作業者が同時にロック解除操作する必要がある。
【００１３】
そこで、本発明の第１の目的は、単体で使用したとき、少なくとも左右両側に隙間が発生せず、しかも巾木の着脱操作も板本体の着脱と同時に行なえる足場板を提供することである。
【００１４】
本発明の第２の目的は、複数の足場板を前後方向に連設したとき、隣接する板本体間に隙間が発生しないようにした足場板を提供することである。
【００１５】
本発明の第３の目的は、各フックの下方に設けたストッパーを横架材に対してワンタッチで着脱でき、しかもこの着脱操作を一人で行える足場板を提供することである。
【００１６】
【課題を解決するための手段】
上記の目的を達成するため、本発明の足場板の構成は、水平な板本体と、板本体の前後両端に設けた複数のフックと、板本体の左右両端に起立して着脱自在に設けた巾木と、各フックの下方に出入自在に設けたストッパー機構とを備え、前記ストッパー機構は中空なガイドと、ガイド内にスライド自在に挿入したストッパーと、ガイドとストッパーとの間に介在してストッパーをフック方向に付勢する弾性部材と、ガイドの上部又は側部に設けられ且つ上記弾性部材に抗してストッパーを少なくとも後退位置に保持する位置決め部材とからなり、ストッパーがロッド本体と、ロッド本体の先端上部に形成した弯曲面と、ロッド本体の後端に設けた把手部と、ロッド本体の上面に形成した二つの溝とを備え、位置決め部材がロッド本体側の溝の一つに選択的に嵌合されることを特徴とするものである。
【００１７】
この場合、ストッパーがロッド本体と、ロッド本体の先端上部に形成した弯曲面と、ロッド本体の後端に設けた把手部と、ロッド本体の上面に形成した二つ溝とから構成されているのが好ましい。
【００１８】
中空なガイドが筒体であり、弾性部材が筒体の先端とロッド本体の間に介装された一つ又は複数のコイルスプリングとで構成され、当該コイルスプリングの一方の足を筒体の先端に結合し、他方の足をロッド本体の上部又は側部に固定しているのが好ましい。
【００１９】
位置決め部材がガイドの上部に一端を結合したバネ板と、ばね板を貫通して下端をガイド上部に結合したピンと、ピンの上端とばね板の上面との間に介装されてばね板を下方に付勢するコイルスプリングと、ばね板の下面に設けられてロッド本体側の溝の一つに選択的に嵌合する係止突起と、で構成されているのが好ましい。
【００２０】
更に、板本体の前後両端に複数の切欠きを設け、前側のフックが後側の切欠きと同一軸線上に設けられ、後側のフックが前側の切欠きと同一軸線上に設けられているのが好ましい。
【００２１】
【作用】
板本体の左右両端に巾木を設けたから、板本体と巾木との間には隙間が発生しない。
【００２２】
ストッパーが弾性部材で押し出されるとフックとストッパー先端とで枠組足場の横架材を挾持して板本体の浮き上がりを防止し、ストッパーを強制的に後退するとストッパーが横架材の挾持を解除し、板本体を上方に押し上げることができる。
【００２３】
位置決め部材は、横架材の挾持を解除する後退位置にストッパーを保持可能である。
【００２４】
板本体の前後両端に複数のフックと切欠きが設けられている場合には板本体を前後方向にフックと切欠きを介して連設できる。
【００２５】
この場合、前側のフックの取り付け位置と後側の切欠き位置とが同一線上に一致しているから、前側の足場板に後側の足場板を連設したとき、後側の足場板における前側のフックが前側の足場板における切欠き内に侵入できるから前後二つの足場板間の接合部には隙間がない。
【００２６】
【実施例】
以下、本発明の実施例を図にもとづいて説明するが、図１乃至図６は、本発明の一実例に係る足場板を示す。
【００２７】
この足場板Ａは、水平な一枚の板本体６と、板本体６の前後両端に設けた二つの前側フック９，１０と、後側フック１１，１２と、板本体１の左右両側に起立して楔機構ＣとピンＰとを介して着脱自在に板本体６に取付けた左右の巾木７，８と、からなる。
【００２８】
板本体６の前側端部と後側端部に二つの切欠き１３，１４ａ，１４ｂと、１５，１６ａ，１６ｂが形成されている。
【００２９】
前側の切欠き１３，１４ａ，１４ｂは、後側のフック１１，１２とは長手方向に於て同一軸線上に配置され、逆に後側の切欠き１５，１６ａ，１６ｂは、前側のフック９，１０と、同一軸線上に配置されている。
【００３０】
即ち、前後のフック９，１０，１１，１２と、前後の切欠き１３，１４ａ，１４ｂ，１５，１６ａ，１６ｂは互い違いになっている。
【００３１】
足場板Ａは、図７に示すように、従来と同じく枠組足場の横架材２にフック９，１０，１１，１２を介して架設される。
【００３２】
この場合、足場板Ａは普通横方向に二つ以上並べて配置されるが、板本体６の横巾が大きい足場には一つだけ配置してもよい。
【００３３】
板本体６の上面には、普通滑り止め用のリブ、突起が設けられているのが好ましい。
【００３４】
巾木７，８は、板本体６に対して着脱自在に結合されて一体化されているために両者の間には隙間が発生せず、板本体６上のくぎ、ボルトとナット、工具、小さい建築材料等が下方に落下するのが防止される。
【００３５】
又、巾木７，８は、板本体６の枠組足場に対する取り付け、取りはずしと同時に一体となって着脱されるから作業性が向上する。
【００３６】
フック９，１０，１１，１２は、板本体６の前後に直接取り付けても良いが、図２のように、板本体６の前後両端に断面コ字状の補助板１７，１８を差し込んで固定し、各補助板１７，１８にそれぞれ前後のフック９，１０，１１，１２と切欠き１３，１４ａ，１４ｂ，１５，１６ａ，１６ｂとが設けられている。
【００３７】
板本体６は、板体６１と板体６１の下面に設けた補強フレーム６２とで構成され、巾木７，８は垂直フレーム７１と、垂直フレーム７１上に長手方向に沿って設けた柱体７２とで構成されている。
【００３８】
足場板Ａは、枠組足場の横架材２上において前後方向に多数列設する。このとき、前方に配置された足場板Ａの後側切欠き１５，１６ａ，１６ｂ内に後方に配置された足場板Ａの前側フック９，１０が嵌合し、逆に前方の足場板Ａの後側フック１１，１２が後方の足場板Ａの前側切欠き１３，１４に嵌合する。
【００３９】
この為、前後に隣接する二つの足場板Ａ，Ａ間の端面が密接でき、両者の接合部に隙間の発生を防止し、くぎ、工具等の落下を防止できる。
【００４０】
図３乃至図６に示すように、各フック９，１０，１１，１２の下方にはストッパー機構Ｓが出入自在に設けられている。
【００４１】
前記ストッパー機構Ｓは、中空なガイド３０と、ガイド３０内にスライド自在に挿入したストッパー３１と、ガイド３０とストッパー３１との間に介在してストッパー３１をフック方向に付勢する弾性部材たるコイルスプリング３２，３２と、ガイド３０の上部又は側部に設けられ且つ上記弾性部材に抗してストッパー３１を所定の位置に保持する位置決め部材３３と、からなっている。
【００４２】
この場合ストッパー３１は、ロッド本体３４と、ロッド本体３４の先端上部に形成した弯曲面３５と、ロッド本体３４の後端に設けた把手部３６と、ロッド本体３４の上面に形成した二つの溝３７，３８と、から構成されている。
【００４３】
中空なガイド３０は、板体を折り曲げた断面コ字状の筒体３９で形成され、弾性部材が筒体３９の屈曲した先端３９ａとロッド本体３４の胴部との間に介装された一つ又は複数のコイルスプリング３２とで構成され、当該コイルスプリング３２の一方の足３２ａを筒体３９の先端３９ａに結合し、他方の足３２ｂをロッド本体３４の上部又は側部に嵌合して固定している。
【００４４】
位置決め部材３３は、ガイドたる筒体３９の上部膨出部に一端を結合したばね板４０と、ばね板４０を貫通して下端を筒体３９の上部の膨出部に結合したピン４１と、ピン４１の上端フランジとばね板４０の上面との間に介装されてばね板４０を下方に付勢するコイルスプリング４４と、ばね板４０の下面に設けられてロッド本体３４側の溝３７，３８のいずれか一つに選択的に嵌合する係止突起４２と、で構成されている。
【００４５】
中立状態ではストッパー機構Ｓは、図３の位置に保持されている。
【００４６】
この状態では係止突起４２がコイルスプリング４１で付勢されて前側の溝３７に嵌合し、ストッパー３１を構成するロッド本体３４は後退位置にあり、ストッパー３１先端とフック９，１０，１１，１２との間には下方に向けて大きな間隙が形成されている。この状態で足場板Ａを横架材２にフック９，１０，１１，１２を介して引掛ける。
【００４７】
次に、位置決め部材３３を構成するばね板４０を、図６に示すように、コイルスプリング４１に抗して押し上げると係止突起４２が溝３７から抜ける。この為コイルスプリング３２のばね力でロッド本体３４がフック方向に押され、ロッド本体３４の先端弯曲面３５が横架材２の下面に当接し、横架材２は、例えば、フック９と弯曲面３５とで挾持され、足場板Ａは、浮上りが防止されて抜けなくなる。この時、係止突起４２は、後方の溝３８に嵌合して位置決めする。
【００４８】
他方、足場板Ａを横架材２から外す場合には、先ず、ばね板４０を押し上げ、次いで、把手部３６を引張り、コイルスプリング３２に抗してロッド本体３４を後退する。次に、ばね板４０の押し上げ操作を中止するとコイルスプリング４１のばね力でばね板４０が下降し、係止突起４２が前側の溝３７に再び嵌合する。この為、ストッパー３１たるロッド本体３４は、後退位置に復帰し、フック９とロッド本体３４の先端との間には大きな隙間が生じ、この隙間を介して横架材２を下降し、即ち、相対的に足場板Ａを上方に押し上げて外す。
【００４９】
この場合、ストッパー３１が複数ある場合でも、各ストッパー３１は、位置決め部材３３で後退位置に保持できるから、一方のストッパー３１をこの状態にしたまま次のストッパー３１の解除操作ができ、この操作を全て一人で行なえるものである。
【００５０】
【発明の効果】
本発明によれば、次の効果がある。
【００５１】
各請求項の発明によれば、板本体の左右両端に巾木が着脱自在に起立して設けられているから、板本体上と巾木との間には隙間が無く、板本体上のくぎ、ボルトとナット、工具、小さい建築材料等が下方に落下するのが防止される。
【００５２】
ストッパーが複数ある場合でも、各ストッパーは、位置決め部材で後退位置に保持可能であるから、一方のストッパーをこの状態にしたまま次のストッパーの解除操作ができ、この操作を全て一人で行えるものである。また、板本体を、例えば、枠組み足場の横架材にフックを介して架設したとき、巾木も同時に取り付けられる為に板本体と巾木との着脱操作が著しく向上する。
【００５３】
更に、巾木が着脱自在であるから、不使用時には巾木を分離でき、コンパクトに格納しながら保管、搬送ができる。
【００５４】
更に又、フックの下方にストッパー機構が設けられているから、このストッパー機構が横架材を挾持して足場板の浮上りを防止する。また、請求項1から４の発明によれば、この場合、ストッパー機構は、足場板を横架材に係合して抜けなくなる位置と抜ける位置に位置決めでき、足場板の横架材に対する着脱操作が向上し、一人でもこの着脱操作を行うことができる。
【００５５】
請求項４の発明によれば、前側のフックと後側の切欠き、前側の切欠きと後側のフックとが同一軸線上に設けられているから、前後方向に複数の足場板を連設したとき、前側の足場板における切欠き内に後側の足場板におけるフックが嵌合でき、これにより、前側と後側の足場板間の接合部に隙間が発生せず、足場板上のくぎ、工具等の下方への落下を防止できる。
【図面の簡単な説明】
【図１】本発明の一実施例に係る足場板の斜視図である。
【図２】図１の足場板の分解斜視図である。
【図３】ストッパー機構の拡大断面図である。
【図４】ストッパー機構の平面図である。
【図５】図４のＸ−Ｘ線断面図である。
【図６】ストッパー機構の作動状態を示す拡大断面図である。
【図７】従来の枠組足場の斜視図である。
【符号の説明】
６  板本体
７，８  巾木
９，１０，１１，１２  フック
１３，１４ａ，１４ｂ，１５，１６ａ，１６ｂ  切欠き
３０  ガイド
３１  ストッパー
３２，４４  コイルスプリング
３２ａ，３２ｂ  足
３３  位置決め部材
３４  ロッド本体
３５  弯曲面
３６  把手部
３７，３８  溝
３９  筒体
４０  ばね板
４１  ピン
４２  係止突起
Ｓ  ストッパー機構
【図１】
0003846915.tif 000002
【図２】
0003846915.tif 000003
【図３】
0003846915.tif 000004
【図４】
0003846915.tif 000005
【図５】
0003846915.tif 000006
【図６】
0003846915.tif 000007
【図７】
0003846915.tif 000008